(57)【特許請求の範囲】
【請求項１】
ケーブルをその途中部において所定角度のカーブを描きながら電柱間に架線させる際に、このカーブの部位に設けるケーブル架線用コーナガイドであって、
上記ケーブル架線用コーナガイドは、前記電柱に固定する取付金具と、両端に前記電柱間に架線されるガイドロープの一端を把持する把持部が設けられるとともに、途中部が移動金車のローラを案内する湾曲状のガイドレールと、吊線にハンガーを介して保持されたケーブルを案内するガイドローラ部とで構成され、
該ガイドローラ部は、ケーブルの案内方向に沿って所定間隔を隔ててそれぞれ垂直軸を持って回転自在に設けられた複数のローラから構成され、これら複数のローラは、両端２つのローラが鼓状に、その内側２つのローラが上端に鍔部を有して下端部が若干径大のテーパ状に、真ん中２つのローラが樽状に形成されるとともに、両端２つのローラが他のローラよりも若干中側に位置するように対称配置されてなることを特徴とするケーブル架線用コーナガイド。
【請求項２】
前記ガイドレール及び前記ガイドローラ部が基台上に配設され、この基台が前記取付金具に着脱自在に設けられたことを特徴とする請求項１記載のケーブル架線用コーナガイド。
【発明の詳細な説明】
【０００１】
【発明の属する技術分野】
本発明は、電柱間にケーブルを架線する際に使用するケーブル架線用コーナガイドに関するものである。
【０００２】
【従来の技術】
従来、電柱間にケーブルを架線する工法としては、図１６に示すような工法が採用されている。
【０００３】
具体的には、まず、図１６（ａ）に示すように、例えば３本の電柱ａ１、ａ２、ａ３に吊線バンドｂを取付けた後、各電柱ａ１、ａ２、ａ３に延線ローラｃを取付け、これら延線ローラｃに延線ロープｄを通して電柱ａ１、ａ２、ａ３からなる２つの径間に架線する。次に、上述のように架線した延線ロープｄの一端に吊線ｅの一端を連結し、延線ロープｄを電柱ａ３側に巻き取りながら、吊線ｅを電柱ａ３側に到達させて吊線バンドｂに吊線ｅを止着することで、この吊線ｅを電柱ａ１、ａ２、ａ３間に架線する［図１６（ｂ）参照］。
【０００４】
続いて、図１６（ｂ）に示すように、吊線ｅに複数の金車ｆを取付けながら当該金車ｆに延線ロープｄを通し、この状態で延線ロープｄの一端に図１６（ｃ）に示すケーブルｇの一端を連結して当該延線ロープｆを電柱ａ３側に巻き取ることで、図１６（ｃ）に示すように上記金車ｆを介してケーブルｇを電柱ａ１、ａ２、ａ３間に架線する。
【０００５】
この後、図１６（ｄ）に示すように、金車ｆを取り外しながらハンガーｈを吊線ｅに引っ掛け、このハンガーｈによって吊線ｅとケーブルｇとを一体的にすることで架線作業を終了する（例えば、特許文献１参照。）。
【０００６】
【特許文献１】
特開平１１−８９０３２号公報
【０００７】
【発明が解決しようとする課題】
しかしながら、上記従来のケーブルの架線工法では、延線ロープｄを使用した吊線ｅの架線作業、並びに延線ロープｄを使用したケーブルｇの架線作業という複数の架線作業を行う必要があり、架線に要する作業時間が長くなるという問題があった。
【０００８】
また、図１６（ｂ）に示すような延線ロープｄを通しながら金車ｆを吊線ｅに取付ける作業や、図１６（ｄ）に示すような金車ｆを取外しながらハンガーｈを吊線ｅに引っ掛ける作業には、高所作業車ｉが必要であり、この高所作業車ｉを移動させながらの作業にも時間がかかり、上述の問題と相まってさらに作業時間が長くなるという問題があった。また、交通量の多い場所などでは高所作業車ｉによる作業に支障を来しさらなる作業の遅れを招く場合があるとともに、通行人や走行車輌の邪魔になるだけでなく作業者にとっても危険を伴う作業になるという問題があった。
【０００９】
【課題を解決するための手段】
請求項１に係る発明のケーブル架線用コーナガイドは、ケーブルをその途中部において所定角度のカーブを描きながら電柱間に架線させる際に、このカーブの部位に設けるケーブル架線用コーナガイドであって、上記ケーブル架線用コーナガイドは、前記電柱に固定する取付金具と、両端に前記電柱間に架線されるガイドロープの一端を把持する把持部が設けられるとともに、途中部が移動金車のローラを案内する湾曲状のガイドレールと、吊線にハンガーを介して保持されたケーブルを案内するガイドローラ部とで構成され、該ガイドローラ部は、ケーブルの案内方向に沿って所定間隔を隔ててそれぞれ垂直軸を持って回転自在に設けられた複数のローラから構成され、これら複数のローラは、両端２つのローラが鼓状に、その内側２つのローラが上端に鍔部を有して下端部が若干径大のテーパ状に、真ん中２つのローラが樽状に形成されるとともに、両端２つのローラが他のローラよりも若干中側に位置するように対称配置されてなるものである。
【００１０】
請求項２に係る発明のケーブル架線用コーナガイドは、前記ガイドレール及び前記ガイドローラ部が基台上に配設され、この基台が前記取付金具に着脱自在に設けられたものである。
【００１１】
【発明の実施の形態】
以下、本発明の実施の形態を図面を参照して説明する。
【００１２】
ケーブルの架線工法としては、例えば図１に示すような一直線状に立設された３本の電柱Ｘ１、Ｘ２、Ｘ３間に、図２に示すようにハンガーＡ２を介して吊線Ａ１に一体的に保持されたケーブルＡ（以下、これらを総称してケーブルＡ等という）を直線状に架線している。
【００１３】
このケーブルの架線工法には、ガイドロープ１、このガイドロープ１を支持するガイドロープ用支持金具２、移動金車３、並びに吊線Ａ１とケーブルＡの各先端を延線ロープＢに連結するための連結金具４が主要部材として使用され、まず、これら各部材について説明する。
【００１４】
ガイドロープ１は、前記ケーブルＡ等の架線に際して予め電柱Ｘ１、Ｘ２、Ｘ３間に所定の張力で架線するためのもので、このガイドロープ１に沿って後述する移動金車３のローラ３１ａが転動する。
【００１５】
このガイドロープ１は、移動金車３を介してケーブルＡ等を支持可能な強度を有するものが用いられ、例えば、軽くて引張特性に優れた芳香族ポリアミド系繊維［ケブラー（商品名）］などの線材が用いられる。
【００１６】
前記ガイドロープ用支持金具２は、中央の電柱Ｘ２の所定の位置に取付けるもので、前記ガイドロープ１の途中部を支持するようになされている。
【００１７】
このガイドロープ用支持金具２の具体的な構成は、図３及び図４に示すように、垂直部２１ａとこの垂直部２１ａの途中部から延設された水平部２１ｂとで略Ｔ字状に形成された本体部２１と、上記水平部２１ｂの先端に設けられ前記ガイドロープ１の途中部を把持する把持部２２とを主要部として備えている。
【００１８】
本体部２１は、その垂直部２１ａが電柱Ｘ２への取付部位となり、上記水平部２１ｂが前方に張出すように当該垂直部２１ａを電柱Ｘ２の所定の高さ位置に沿わせ、この状態で図示しないチェーンなどからなる専用バンド等の固定部材によって電柱Ｘ２に強固に取付けられる。
【００１９】
前記把持部２２は、連結部材２２ｂの左右に設けられた一対の把持材２２ａからなり、連結部材２２ｂが前記水平部２１ｂの先端に固設されたブラケット２３を介してボルト・ナットにより取付けられている。
【００２０】
この連結部材２２ｂとブラケット２３との取付構造は、図５に示すように連結部材２２ｂとブラケット２３のそれぞれ外側に座金２５を介して両者をボルト・ナット２４で締め付けることにより固定されている。上記ボルト・ナット２４は、そのナット２４ａに緩み止めが付いており、このボルト・ナット２４を使用することで、両者を少し緩めた状態で締め付ける構造になされている。このような構造にすることで、連結部材２２ｂはブラケット２３に対して若干ではあるが前後などに可動することができ、これにより把持材２２ｂに後述するようにガイドロープ１を把持した際に当該ガイドロープ１の状態の変化などに追従できるようになされている。
【００２１】
前記把持材２２ａは、上端部にガイドロープ１を把持するための把持孔２２ｃが形成されるとともに、この把持孔２２ｃの中心を境にして前後に分割されている。従って、ボルト２２ｄを緩めて把持孔２２ｃを開放し、ガイドロープ１をこの把持孔２２ｃに挿入した後に再びボルト２２ｄを締め付けることによって、ガイドロープ１が把持材２２ａに安定的に把持される。
【００２２】
また、前記水平部２１ｂの先端の前記把持部２２よりも基端側には、前記ガイドロープ１を架線する際に、このガイドロープ１をガイドロープ用支持金具２に仮止めするための仮止めリング２６が設けられている。仮止めリング２６は、棒状部材を所定の隙間２６ａを持って環状に湾曲形成したもので、この隙間２６ａを通じてガイドロープ１を容易に環状内部に配置することができるようになされている。なお、ガイドロープ１を架線する具体的な手法については後述する。
【００２３】
さらに、水平部２１ｂの中間部下方には、ケーブルＡ等の架線に際して使用される延線ロープＢ（図１参照）を支持する受け材２７が設けられている。この受け材２７は、下端部が上方に折返された折返部２７ａになされており、この折返部２７ａに延線ロープＢを引っ掛けるようになされている。従って、折返部２７ａに延線ロープＢを引っ掛けることにより、当該延線ロープＢの垂れ下がりを防止するとともに、延線ロープＢを通じてケーブルＡを架線する際においては当該延線ロープＢのガイド的な役目を果たすようになされている。
【００２４】
前記移動金車３は、図６乃至図８に示すように、ローラ３１ａが回転自在に設けられた支持部３１と、この支持部３１から垂下された連結ロッド３２と、連結ロッド３２の下端部に設けられた保持部３３とから構成されている。
【００２５】
支持部３１は、所定間隔を隔てて配置された支持板３１ｂ、３１ｂ間にローラ３１ａを回転自在に支持しており、このローラ３１ａにより前記ガイドロープ１に沿って移動金車３が移動可能になされている。支持板３１ｂ、３１ｂの下端部は、下方に八の字状に延長されたガイド３１ｃ、３１ｃになされており、このガイド３１ｃ、３１ｃによってガイドロープ１上を転動するローラ３１ａが不用意に当該ガイドロープ１から脱落しないようになされている。
【００２６】
連結ロッド３２は、内部が中空の筒状に形成されたもので、この内部に後述する保持部３３での吊線Ａ１の保持を解除するための解除ロッド３７が遊嵌されている。この解除ロッド３７の上端には、前記連結ロッド３２から上方に突出されたリング状の解除把持部３８が連設されている。
【００２７】
前記保持部３３は、吊線Ａ１を着脱自在に保持するもので、受け金具３４と、係止金具３５とから構成されている。
【００２８】
受け金具３４は、側面から見てＶ字状に形成されたもので、上部側となる一片の先端縁が当該先端縁に固設されたピン３４ａによりアーム３６の下端に回動自在にピン連結されている。アーム３６の上端部は、前記連結ロッド３２の下端部から水平に突設されたブラケット３２ａの先端部に回動自在に支持されている。
【００２９】
係止金具３５は、上端部が前記解除ロッド３７に連設されている。詳しくは、解除ロッド３７の下端にブラケット３７ａが連結ロッド３２の下端部に形成されたスリット３２ｂを通じて当該連結ロッド３２の外方に突設されており、このブラケット３７ａの先端部に係止金具３５の上端部が回動自在に支持されている。
【００３０】
また、係止金具３５の下端部には、長孔３５ａが形成されており、この長孔３５ａに前記受け金具３４の一片の先端縁に固設されたピン３４ａが摺動自在に嵌入されている。
【００３１】
係止金具３５の先端は、受け金具３４の下側となる他片に形成された挿通孔３４ｂを通じて当該他片を下方に貫通した状態で配置され、図７に示すようにこの係止金具３５と受け金具３４の底部との間で吊線Ａ１を保持するようになされている。
【００３２】
そして、この係止金具３５は、前記解除ロッド３７を連結ロッド３２に対して上方に引っ張り上げることで、その長孔３５ａの長さに見合う分が上方に移動可能になされており、この移動により受け金具３４の底部から吊線Ａ１を取り外すことが可能になされている。
【００３３】
ところで、前記解除ロッド３７は、連結ロッド３２の内部に介装されたスプリング３７ｂ（図７参照）により下方に付勢されており、この付勢力によって係止金具３５が受け金具３４とで吊線Ａ１を保持する保持位置に配置されるようになされている。従って、スプリング３７ｂの付勢力に抗して解除ロッド３７を解除把手部３８を通じて上方に引っ張り上げることで、上述のように係止金具３５が保持位置から上方に移動し、受け金具３４の底部から吊線Ａ１を取り外すことが可能になる。
【００３４】
この際、係止金具３５は、図９に示すようにその先端に形成した係合部３５ｂが受け金具３４の一片に形成した切欠部３４ｃと係合し、この両者が係合した解除位置で保持されるようになされている。なお、この解除位置からの係止金具３５の解除は、解除ロッド３７をその位置からやや上方に引っ張りながら係止金具３５の係合部３５ｂが受け金具３４の切欠部３４ｃから逃げるように当該受け金具３４を回動させることで簡単に行うことができる。
【００３５】
連結金具４は、図１０に示すように、一端部に吊線Ａ１の先端を連結する連結孔４１と、ケーブルＡの先端を連結する連結孔４２とが形成されるとともに、他端部に延線ロープＢの終端を連結する連結孔４３が形成されており、これら各連結孔４１〜４３に吊線Ａ１、ケーブルＡ、延線ロープＢが撚り戻し部材を介して連結される。また、連結金具４の上端部には、前記移動金車３の受け金具３４の底部と係止金具３５の間に係止可能な係止バー４４が設けられている。
【００３６】
そして、このようなケーブルの架線工法では、以上説明したガイドロープ１、ガイドロープ用支持金具２、移動金車３及び連結金具４が使用される他、図１に示すように繰り出しドラム５１、５２、繰り出し側ローラ５３、５４、巻き取り側ローラ５５、巻き取りドラム５６などの従来から使用されている各部材も使用される。
【００３７】
繰り出しドラム５１、５２は、ケーブルＡの繰り出し側となる一方側の電柱Ｘ１の近傍に配置されるもので、繰り出しドラム５１がケーブルＡの繰り出しを行い、繰り出しドラム５２が吊線Ａ１の繰り出しを行う。上記繰り出しドラム５２には、吊線Ａ１にバックテンションを与えて当該吊線Ａ１の垂れ下がりを防止するためのブレーキ機能が備えられている。そして、これら繰り出しドラム５１、５２は、例えば運搬に便利なように車輌に搭載されている。
【００３８】
繰り出し側ローラ５３、５４は、上記電柱Ｘ１に設置されるもので、繰り出し側ローラ５３が前記繰り出しドラム５１から繰り出されたケーブルＡを電柱Ｘ２側に導き、繰り出し側ローラ５４が前記繰り出しドラム５２から繰り出された吊線Ａ１を電柱Ｘ２側に導き、吊線Ａ１とケーブルＡの位置関係から繰り出しドラム５４が上方に繰り出しドラム５３が下方に設置されている。
【００３９】
巻き取り側ローラ５５は、反対側の電柱Ｘ３に設置されるもので、延線ロープＢを同じく反対側の電柱Ｘ３の近傍に設けられた巻き取りドラム５６に導くようになされている。
【００４０】
巻き取りドラム５６は、上述したように反対側の電柱Ｘ３の近傍に配置され、延線ロープＢを所定の速度で巻き取ることで、この延線ロープＢに連結されたケーブルＡ等を移動金車３を通じて電柱Ｘ３側に引っ張るようになされ、例えば運搬に便利なように車輌に搭載されている。
【００４１】
次に、以上説明した各部材を使用して行われるケーブルの架線工法について図１を参照しながら説明する。
【００４２】
まず、各電柱Ｘ１、Ｘ２、Ｘ３に後述するケーブルＡとともに架線される吊線Ａ１を止着するための吊線バンド（図示省略）を予め所定の高さ位置に設置するとともに、中央の電柱Ｘ２には、吊線Ａ１及びケーブルＡの架線位置に対応する所定の高さ位置にガイドロープ用支持金具２を固設する。この際、ガイドロープ用支持金具２の仮止めリング２６内に、ガイドロープ１の途中部を仮保持させておくとともに、受け材２７に延線ロープＢの途中部を支持させておく。
【００４３】
また、これとともに左右の電柱Ｘ１、Ｘ３では、繰り出し側ローラ５３、５４や巻き取り側ローラ５５を吊線Ａ１及びケーブルＡの架線位置に対応する所定の高さ位置に設置するとともに、これら電柱Ｘ１、Ｘ３の近傍に繰り出しドラム５１、５２、巻き取りドラム５６を配置する。
【００４４】
次に、前記ガイドロープ１の両端を適宜な固縛手段によって左右の電柱Ｘ１、Ｘ３に所定の張力を持たせた状態で張設する。この後、中央の電柱Ｘ２では、ガイドロープ用支持金具２の仮止めリング２６に仮保持していたガイドロープ１の途中部をこの仮止めリング２６から取出し、その把持部２２の把持材２２ａの把持孔２２ｃに挿入した後、把持材２２ａをボルトで締め付けてガイドロープ１を当該把持部２２に強固に把持させる。これによってガイドロープ１は各電柱Ｘ１、Ｘ２、Ｘ３間に架線される。
【００４５】
このように仮止めリング２６にガイドロープ１を一旦仮止めした後に、把持部２２に完全に把持させることで、電柱Ｘ２でのガイドロープ用支持金具２の固定位置が多少ズレていた場合でも、ガイドロープ１を把持部２２に容易に把持させることができる。
【００４６】
つまり、仮止めリング２６での仮止めが無い場合では、ガイドロープ用支持金具２の高さ位置がズレていると、左右の電柱Ｘ１、Ｘ３間でガイドロープ１を張設すると、把持部２２に対するガイドロープ１の途中部の位置が大きくズレることが生じ、当該ガイドロープ１の途中部がその張力により把持部２２で把持できないことが起こるため、これを防止するために仮止めリング２６にガイドロープ１を予め仮止めしている。この場合、左右の電柱Ｘ１、Ｘ３と中央の電柱Ｘ２との間でガイドロープ１は、ガイドロープ用支持金具２の高さ位置のズレにより幾分傾斜した状態で架線されることになるが、ガイドロープ１は所定の張力を持って移動金車３が円滑に移動できる程度に各電柱Ｘ１、Ｘ２、Ｘ３間に架線されていれば、ケーブルＡ等の架線には支障を来さないからである。
【００４７】
このようにしてガイドロープ１が各電柱Ｘ１、Ｘ２、Ｘ３に架線されると、ケーブルＡの繰り出し側となる電柱Ｘ１に設けた繰り出し側ローラ５３、５４にそれぞれ吊線Ａ１とケーブルＡとの先端を導き、これら先端を予め配置された延線ロープＢの終端と連結金具４を介して連結する。
【００４８】
そして、連結金具４の係止バー４４に移動金車３の保持部３３を係止するとともに、移動金車３のローラ３１ａをガイドロープ１上に配置し、この状態で巻き取りドラム５６を作動させ、延線ロープＢを巻き取り側ローラ５５を介して当該巻き取りドラム５６に巻き取って行く。
【００４９】
これにより、延線ロープＢに連結された上記吊線Ａ１及びケーブルＡが電柱Ｘ１側から中央の電柱Ｘ２側に引き出され、この引き出し動作とともに、電柱Ｘ１では作業者によりハンガーＡ２を所定の間隔でその内部にケーブルＡを挿通させながら吊線Ａ１に引っ掛けて行く。
【００５０】
この電柱Ｘ１での作業を繰り返すことで、ケーブルＡ等が所定の長さ電柱Ｘ２側に引き出されると、当該電柱Ｘ１において新たに移動金車３を用いてその保持部３３を吊線Ａ１に係止して保持するとともに、ローラ３１ａをガイドロープ１上に配置する。移動金車３を取付ける間隔は、延線ロープＢの巻き取りによりガイドロープ１に沿ってケーブルＡ等が円滑に移動できる長さになされている。
【００５１】
このような作業を継続して行うことで、吊線Ａ１を保持した移動金車３がガイドロープ１に案内されながらケーブルＡ等の先端が電柱Ｘ２側に移動し、この電柱Ｘ２においてこれら移動金車３のローラ３１ａがガイドロープ用支持金具２の把持部２２上を転動して通過して電柱Ｘ３側に導かれる。
【００５２】
そして、ケーブルＡ等の先端が電柱Ｘ３に到達すると、巻き取りドラム５６による延線ロープＢの巻き取りを停止し、吊線Ａ１を各電柱Ｘ１、Ｘ２、Ｘ２に予め設置していた吊線固定用の吊線バンドに固定することで、電柱Ｘ１、Ｘ２、Ｘ３間にケーブルＡ等が同時架線される。
【００５３】
この後、ガイドロープ１を緩め、この状態でまず移動金車３を撤去する。この際、移動金車３は、その支持部３１のローラ３１ａが上記ガイドロープ１から外れる場合があるが、この場合でも移動金車３はその保持部３３で吊線Ａ１を保持しているので、吊線Ａ１に支持部３１が下方になるように反転した状態で垂れ下がることになり、落下することはない。
【００５４】
そして、各移動金車３の撤去は、当該各移動金車３を地上から、図示しない操作棒によって各移動金車３の解除把持部３８を把持して解除ロッド３７を連結ロッド３２から引き出し、この引き出しにより保持部３３を解除位置にすることで吊線Ａ１から移動金車３を取り外すことで行われる。
【００５５】
このように移動金車３を撤去すると、続いてガイドロープ用支持金具２及び固縛手段を撤去してガイドロープ１を電柱Ｘ１、Ｘ２、Ｘ３間から撤去するとともに、繰り出しローラ５３、５４や巻き取りローラ５５を電柱Ｘ１、Ｘ３から撤去し、これにより電柱Ｘ１、Ｘ２、Ｘ３間へのケーブルＡ等の架線作業が終了する。
【００５６】
以上述べたケーブルの架線工法では、各電柱Ｘ１、Ｘ２、Ｘ３での作業者による各部材の設置作業と、電柱Ｘ１での作業者による吊線Ａ１へのハンガーＡ２の引っ掛け作業を行うことで、ケーブルＡ等を電柱間Ｘ１、Ｘ２、Ｘ３間に同時に架線することができ、架線に要する作業時間を大幅に短縮することができる。また、各電柱Ｘ１、Ｘ２、Ｘ３での作業だけのため高所作業車を使用する必要がなく、安全な環境で架線作業を行うことができる。
【００５７】
なお、上述したケーブルの架線工法は、電柱Ｘ１、Ｘ２、Ｘ３間にケーブルＡ等を直線状に架線するものであったが、このケーブルの架線工法では、図１１に示すようにケーブルＡ等を途中部において所定角度のカーブを描きながら電柱Ｘ４、Ｘ５、Ｘ６間に同時架線させることもできる。
【００５８】
この場合に、中央の電柱Ｘ５には本発明のケーブル架線用コーナガイド（以下、単にコーナガイドという）７が設置される。
【００５９】
コーナガイド７は、前述した移動金車３、並びにこの移動金車３に保持されたケーブルＡ等を電柱Ｘ５側から次の電柱Ｘ６側に案内するものであり、図１２及び図１３に示すように、電柱Ｘ５に固定する取付金具７１と、取付金具７１に設けられガイドレール７３とガイドローラ部７４とを有する基台７２とを備えている。
【００６０】
前記取付金具７１は、電柱Ｘ５の外周に対応して湾曲状に形成された固定部７１ａと、この固定部７１ａから前方に張出して配置され前記基台７２を支持する支持部７１ｃとから構成されている。
【００６１】
固定部７１ａは、その一端部にチェーンバンド７５の一端が止着されるとともに、他端部に螺子棒７１ｂが連設されている。一方、チェーンバンド７５の他端には上記螺子棒７１ｂに挿入可能な締結材７５ａが連設されている。従って、チェーンバンド７５を電柱Ｘ５に巻回した状態で締結材７５ａを螺子棒７１ｂに挿入し、当該螺子棒７１ｂに螺子材７５ｂを螺入して締め付けることで、固定部７１ａが電柱Ｘ５に強固に取付けられる。
【００６２】
前記支持部７１ｃは、前記基台７２を安定的に支持するように適宜に組み合わされた複数本の支持材７１ｄから構成されており、この支持材７１ｄの途中部下方には先端が前記電柱Ｘ５に当接して上記支持材７１ｄを水平状態で支持するための補助支持材７１ｅが設けられている。
【００６３】
前記基台７２は、湾曲状に形成された平板状のもので、前記支持部７１ｃに複数箇所を螺子止め７２ａすることで着脱自在に取付けられている。
【００６４】
前記ガイドレール７３は、基台７２の外側縁に沿って湾曲状に形成されたガイド部７３ａが複数の支持材７３ｂによって所定の高さ位置に配置されたもので、このガイド部７３ａを前述した移動金車３のローラ３１ａが転動するようになされている。
【００６５】
ガイド部７３ａの両端には、図１５に示すように前述したガイドロープ１の一端を把持する把持部７６が延設部材７６ｃを介して設けられている。把持部７６は、図１４に示すように前述したガイドロープ用支持金具２の把持部２２と同様に分割された左右一対の把持材７６ａからなり、この把持材７６ａの上端部に形成された把持孔７６ｂにガイドロープ１の一端を把持するように構成されている。
【００６６】
また、把持部７６には、針金などの比較的柔らかな線材７７が設けられており、把持部７６にガイドロープ１の一端を把持させた後、当該ガイドロープ１の一端部に線材７７を巻き付けることで、把持部７６によるガイドロープ１の把持を強固なものにしている。
【００６７】
前記ガイドローラ部７４は、前記基台７２の内側縁に沿って所定間隔を隔ててそれぞれ垂直軸を持って回転自在に設けられた複数のローラ７４ａ〜７４ｆから構成されている。
【００６８】
これら複数のローラ７４ａ〜７４ｆと前記ガイドレール７３との間の空間部は、ガイドレール７３に沿って導かれる移動金車３と、この移動金車３により導かれるケーブルＡ等の通路７Ａになされており、当該複数のローラ７４ａ〜７４ｆによりケーブルＡ等を円滑に導くようにしている。特に、吊線Ａ１やケーブルＡよりも大きな形状のハンガーＡ２がこの通路７Ａを円滑に通過できるようになされている。
【００６９】
前記複数のローラ７４ａ〜７４ｆは、図示（図１３参照）のように両端２つのローラ７４ａ、７４ｆが鼓状に、その内側２つのローラ７４ｂ、７４ｅが上端に鍔部を有して下端部が若干径大のテーパ状に、真ん中２つのローラ７４ｃ、７４ｄが樽状に形成されるとともに、両端２つのローラ７４ａ、７４ｆが他のローラ７４ｂ〜７４ｅよりも若干中側に位置するように配置されており、このように各ローラ７４ａ〜７４ｆの形状や位置関係を工夫することで、ハンガーＡ２等がこの通路７Ａを円滑に通過できるようにしている。
【００７０】
また、前記把持部７６の下方となる基台７２上にも、ローラ７４ｇがそれぞれ設けられており、それぞれ対峙するローラ７４ａ、７４ｆとによってケーブルＡ等を通路７Ａに円滑に導くとともに、通路７Ａから外部へ円滑に送り出すようになされている。
【００７２】
前記基台７２の一端部には、図１５に示すようにハンガーＡ２の姿勢を矯正するための姿勢制御板７８が左右に２枚立設されている。この姿勢制御板７８は、延線ロープＢの巻き込みにより移動するハンガーＡ２等の進入側となる一端部に設けられており、前記基台７２上の通路７Ａに進入する際にハンガーＡ２の姿勢を予め矯正しておくことで、当該通路７Ａを通過する際において吊線Ａ１からハンガーＡ２が脱落するのを防止してハンガーＡ２等が円滑に通路７Ａを通過できるようにしている。
【００７３】
姿勢制御板７８は、前記基台７２の両端部に螺子止め等により着脱自在になされており、ケーブルＡ等の送り方向が変わって進入側が変われば、前記基台７２の一端部から取り外して基台７２の他端部に取付けることができるようになされている。
【００７４】
そして、このように姿勢制御板７８が取付けられる基台７２の両端は、下方に傾斜した傾斜部７２ｂに形成されており、ケーブルＡ等、主としてハンガーＡ２を円滑に基台７２上に導くガイドになっている。
【００７５】
また、前記ガイドレール７３の両端部上方には、電柱Ｘ５に巻回された支持バンド７９の両端に設けられたフック７９ａが係止可能な係止材７３ｃがそれぞれ設けられている。従って、途中部を電柱Ｘ５に巻回した支持バンド７９のフック７９ａをこれら係止材７３ｃに係止し、支持バンド７９の一端寄りに設けられたシメラー７９ｂで当該支持バンド７９を締結することで、前記取付金具７１に作用するガイドローラ部７４やガイドレール７３を設けた基台７２の荷重を支え、前述した保持支持材７４ｅと相まってコーナガイド７全体が下方に傾くことが無いようにしている。
【００７６】
このようにケーブルＡ等を途中部において所定角度のカーブを描きながら電柱Ｘ４、Ｘ５、Ｘ６間に同時架線させる際には、中央の電柱Ｘ５に上述したコーナガイド７を設置することで、移動金車３のローラ３１ａがガイドレール７３のガイド部７３ａに案内されるとともに、移動金車３の保持部３３に保持されたケーブルＡ等がガイドローラ部７４に案内され、これによりケーブルＡ等をそのカーブに沿って円滑に導くことができ、前述したケーブルの架線工法と同様に吊線Ａ１とケーブルＡとの同時架線を行うことができる。
【００７７】
このケーブルの架線工法は、電柱Ｘ５にコーナガイド７を設置する以外は、前述した架線工法と同様であり、詳細な説明は省略するとともに、これによる効果も同様であり説明は省略する。
【００７８】
また、前記コーナガイド７とガイドロープ用支持金具２とを組み合わせることによって、ケーブルＡ等を３本以上の電柱にその途中部でカーブを描きながら直線状の架線と組み合わせて架線することができる。
【００７９】
【発明の効果】
以上述べたように、本発明によれば、ケーブルをその途中部において所定角度のカーブを描きながら電柱間に架線させる際には、このカーブの部位にケーブル架線用コーナガイド設けることで、このケーブル架線用コーナガイドによって移動金車並びに吊線にハンガーを介して保持されたケーブルを円滑に案内することができ、架線作業を円滑に行うことができる。
【００８０】
また、ガイドレール及びガイドローラ部が配設された基台を取付金具に着脱自在に設けたことで、ケーブル架線用コーナガイドの電柱への設置及び撤去を容易に行うことができ、作業性の向上を図ることができる。
【図面の簡単な説明】
【図１】ケーブルの架線工法を説明するための概略の説明図である。
【図２】電柱間に架線されるケーブル等の繰り出し状態を示す図である。
【図３】ガイドロープ用支持金具の構成を示す側面図である。
【図４】ガイドロープ用支持金具の構成を示す正面図である。
【図５】ガイドロープ用支持金具における連結部材の取付構造を示す断面図である。
【図６】移動金車の構成を示す斜視図である。
【図７】移動金車の構成を示す側面図である。
【図８】移動金車の構成を示す正面図である。
【図９】移動金車の保持部が解除位置に配置された状態を示す拡大の側面図である。
【図１０】連結金具を示す正面図である。
【図１１】ケーブルの架線工法の他の形態を示す概略の平面図である。
【図１２】本発明のケーブル架線用コーナガイドの構成を示す平面図である。
【図１３】同じくケーブル架線用コーナガイドの構成を示す一部破断の側面図である。
【図１４】姿勢制御板の構成を示す図１２におけるＰ矢視図である。
【図１５】把持部の取付状態を示す図１４におけるＱ矢視図である。
【図１６】従来のケーブルの架線工法を説明するための概略の説明図である。
【符号の説明】
１  ガイドロープ
３  移動金車
３１ａ  ローラ
７  コーナガイド
７１  取付金具
７２  基台
７３  ガイドレール
７４  ガイドローラ部
７６  把持部
Ａ  ケーブル
Ａ１  吊線
Ａ２  ハンガー
Ｘ１〜６  電柱
【図１】
0003581854.tif 000002
【図２】
0003581854.tif 000003
【図３】
0003581854.tif 000004
【図４】
0003581854.tif 000005
【図５】
0003581854.tif 000006
【図６】
0003581854.tif 000007
【図７】
0003581854.tif 000008
【図８】
0003581854.tif 000009
【図９】
0003581854.tif 000010
【図１０】
0003581854.tif 000011
【図１１】
0003581854.tif 000012
【図１２】
0003581854.tif 000013
【図１３】
0003581854.tif 000014
【図１４】
0003581854.tif 000015
【図１５】
0003581854.tif 000016
【図１６】
0003581854.tif 000017